(57)【要約】      （修正有）【課題】オートフィードシュレッダ本体の大型化を避け、外部挿入口へのＡ３サイズの被細断紙投入作業性を向上させるとともに、外部挿入口における指等の挟みこみ事故を防止できるシュレッダを提供する。【解決手段】シュレッダは、筐体２と、筐体２の上部に設けられた廃紙を配置する廃紙収納部４と、廃紙収納部４を覆うように、開閉可能に設けられたカバー３と、廃紙収納部４の底部に構成された廃紙を下方へ案内するオートフィード機構５と、オートフィード機構５の下方に配置される細断機構部６とを備えている。カバー３の上面には廃紙の外部挿入口３１が設けられている。外部挿入口３１は、徐々に幅狭となる一対の曲面８１、９１で構成されている。一対の曲面８１，９１は、互いに曲率の異なる曲面である。【選択図】図３
2015036132.tif 000002
【特許請求の範囲】
【請求項１】
筐体と、
該筐体の上部に設けられた廃紙を配置する廃紙収納部と、
該廃紙収納部を覆うように、開閉可能に設けられたカバーと、
前記廃紙収納部の底部に構成された廃紙を下方へ案内するオートフィード機構と、
該オートフィード機構の下方に配置される細断機構部と、を備え、
前記カバーの上面には廃紙の外部挿入口が設けられ、
前記外部挿入口は、徐々に幅狭となる一対の曲面で構成されていることを特徴とするシュレッダ。
【請求項２】
前記一対の曲面は、互いに曲率の異なる曲面であることを特徴とする請求項１に記載のシュレッダ。
【請求項３】
前記一対の曲面は、廃紙の送り方向に湾曲した凸曲面と、該凸曲面に対面するように配置された凹曲面であることを特徴とする請求項１又は請求項３に記載のシュレッダ。
【請求項４】
前記凹曲面は、前記カバーと別部材で構成されていることを特徴とする請求項３に記載のシュレッダ。
【請求項５】
前記カバーは、シュレッダ正面側から奥行き方向に向けて曲面に構成されていることを特徴とする請求項１〜請求項４のいずれかに記載のシュレッダ。
【請求項６】
前記外部挿入口の長手方向は、前記廃紙収納部に収納する廃紙の長手方向と直交していることを特徴とする請求項１〜請求項５のいずれかに記載のシュレッダ。
【発明の詳細な説明】
【技術分野】
【０００１】
本発明は、廃棄書類等を細断するシュレッダに係り、特に挿入口への紙葉類の挿入を容易にし、挿入口における指等の挟みこみ事故を防止できるシュレッダに関する。
【背景技術】
【０００２】
従来より、多数枚の廃紙を裁断するには多大な時間を要するため、例えば、廃紙を収納する収納スペースと自動フィード装置を備えたシュレッダ（オートフィードシュレッダ）が提案されている。このオートフィードシュレッダにおいても、廃紙が少量の場合には、カバーに形成した外部挿入口から廃紙を挿入する。挿入された廃紙は挿入ガイドを通り、案内ローラー間を経て細断装置の直上にある挿入口に案内され細断装置で細断される。オートフィードシュレッダはＡ４サイズの廃紙の細断を標準とするものと、それよりも大きなＡ３サイズの廃紙を標準とするものがある。
【先行技術文献】
【特許文献】
【０００３】
【特許文献１】特開２０１１−１１１９７号公報
【特許文献２】特開２００８−６８１７２号公報
【０００４】
特許文献１に記載のシュレッダは、廃紙収納スペースの底部に配置された一対の案内ローラーによって押し上げられた廃紙の束の中央付近が、カバーの下面に設けられた押圧ローラーによって押圧され、廃紙の中央が挿入口側へ円弧状に突出する。そのため廃紙は、挿入口に進入しやすくなり、案内ローラーが回転すると最下層の廃紙から順に挿入口に引き込まれ細断される。このオートフィードシュレッダは、被細断紙を収納する収納スペースを覆うように一対のカバーが設けられている。各カバーは、収納スペースの左右の端部それぞれに、ヒンジによって回動自在に枢支されており、上方に引き上げることで収納スペースを開くようになっている。前記一対のカバーの閉じ合わされた境界面には、被細断紙を挿入する挿入口がシュレッダ正面と直交する方向にスリット状に形成されている。
【０００５】
特許文献２に記載のシュレッダは、被細断紙の挿入を容易にする目的で、離れた位置から手を差し伸ばしただけで、被細断紙をシュレッダ内に挿入することができるように、挿入口が設けられたハウジング上面の一端部から挿入口に至る導入面を、円弧状の曲面で形成している。
【発明の概要】
【発明が解決しようとする課題】
【０００６】
しかしながら、特許文献１に開示のシュレッでは、被細断紙を挿入する際に真上から細いスリット状の挿入口へ被細断紙を差し込む必要があるので、面積が大きく腰が弱いＡ３サイズの廃紙を挿入するのは非常に難しく細断の作業性が悪い。
【０００７】
特許文献２に開示のシュレッダでは、挿入口が設けられたハウジング上面の一端部から挿入口に至る導入面を、円弧状の曲面で形成しているため、Ａ３サイズの廃紙を対象とした場合、挿入口の位置がハウジングの一端部から遠く離れることになる。オートフィードシュレッダの場合、廃紙を収納する収納スペースや細断装置のほぼ中央に前記挿入口を配置するので、特許文献２に開示の方法をとると、無駄なスペースが大幅に増えてしまいシュレッダが大型化してしまうという問題がある。
【０００８】
本発明は、このような点に鑑みなされたもので、オートフィードシュレッダ本体の大型化を避け、外部挿入口へのＡ３サイズの被細断紙挿入作業性を向上させるとともに、挿入口における指等の挟みこみ事故を防止できるシュレッダを提供することを目的とする。
【課題を解決するための手段】
【０００９】
請求項１に記載の発明にあたっては、  筐体と、該筐体の上部に設けられた廃紙を配置する廃紙収納部と、該廃紙収納部を覆うように、開閉可能に設けられたカバーと、前記廃紙収納部の底部に構成された廃紙を下方へ案内するオートフィード機構と、該オートフィード機構の下方に配置される細断機構部とを備え、前記カバーの上面には廃紙の外部挿入口が設けられ、前記外部挿入口は、徐々に幅狭となる一対の曲面で構成されていることを特徴とするものである。
【００１０】
請求項２に記載の発明にあたっては、前記一対の曲面は、互いに曲率の異なる曲面であることを特徴とするものである。
【００１１】
請求項３に記載の発明にあたっては、前記一対の曲面は、廃紙の送り方向に湾曲した凸曲面と、該凸曲面に対面するように配置された凹曲面であることを特徴とするものである。
【００１２】
請求項４に記載の発明にあたっては、前記凹曲面は、前記カバーと別部材で構成されていることを特徴とするものである。
【００１３】
請求項５に記載の発明にあたっては、前記カバーは、シュレッダ正面側から奥行き方向に向けて曲面に構成されていることを特徴とするものである。
【００１４】
請求項６に記載の発明にあたっては、前記外部挿入口の長手方向は、前記廃紙収納部に収納する廃紙の長手方向と直交していることを特徴とするものである。
【発明の効果】
【００１５】
本発明によれば、カバーの上面からシュレッダの内部に向けて次第に斜度を増して、略鉛直方向下向きに廃紙が案内される曲面を有した案内面と固定壁を備えており、固定壁に向けて案内面側から廃紙を投入すると、案内面に覆いかぶさるように設けられた固定壁の曲面に沿って、廃紙の投入側先端が滑り込むようにシュレッダの内部へ案内されるので、面積が大きく腰の弱いＡ３サイズの廃紙であっても楽に投入でき作業性を損なわない。また、案内面と固定壁の終縁部で構成する廃紙通路の間隙は指挟みこみ事故が起きない寸法に設定しているので安全も確保している。これによって、安全で廃紙の投入作業性の良いシュレッダを提供できる。
【図面の簡単な説明】
【００１６】
【図１】本実施形態のシュレッダの斜視図
【図２】図１のシュレッダのカバーが開かれた状態を示す斜視図
【図３】図１のシュレッダの鉛直断面図
【図４】細断機構部の設置状態を説明するためのシュレッダ内部の斜視図
【図５】図２のカバーが開かれたシュレッダにＡ３サイズの廃紙を収容した状態を示す斜視図
【図６】廃紙の外部挿入口の形状を説明するためのカバーの鉛直断面図
【図７】カバーを上方から見た分解斜視図
【発明を実施するための形態】
【００１７】
以下に本発明に係る被細断紙を挿入する外部挿入口を具備するオートフィードシュレッダ１について図面を参照しながら説明する。なお本実施の形態は一例であり、これに限定されるものではない。
【００１８】
図１〜図３に示すように、このシュレッダ１（機器本体）は、板金で成形された直方体状の筐体２（箱体本体）と、その筐体２の上部に設けられた廃紙を配置する直方体の廃紙収納部４と、この廃紙収納部４を覆うように、カバー３が開閉可能に設けられている。このカバー３には廃紙の外部挿入口３１が設けられている。また、廃紙収納部４の底部には、廃紙を下方へ案内するオートフィード機構５が構成され、オートフィード機構５のさらに下方には、廃紙を細断する細断機構部６が設けられている。細断機構部６の下方には細断した屑を収納する細断屑収納ボックス７が配置されている。
【００１９】
図５に示すように本実施形態のシュレッダ１はＡ３サイズの廃紙を標準としており、前記廃紙を配置する直方体の廃紙収納部４は、収納する廃紙の長手方向がシュレッダ１の正面と平行になる向きで形成されている。これは、シュレッダ１の奥行き寸法を抑えカバー３の開閉操作性が損なわれないようにするためである。
【００２０】
当該発明に係る前記外部挿入口３１周辺の形状並びに構造について説明する。図１に示すように、前記外部挿入口３１は、その長手方向をカバー３の幅方向に対して直交させて、幅寸法Ｌのほぼ中央に形成している。図３に示すように、挿入口３１の右側には、挿入口３１に向けてカバー３の上面に曲率半径約７０ｍｍの円弧状の案内面（凸曲面）８１が形成されており、案内面８１と対向する側には、シュレッダ１の内部に向けて曲率半径略８０ｍｍの湾曲する固定壁（凹曲面）９１が案内面８１に覆いかぶさるように設けられている。この固定壁９１に向けて案内面８１側から廃紙を投入すると、廃紙の投入側先端が前記案内壁８１に覆いかぶさるように設けられた固定壁９１の曲面に沿ってシュレッダ内部にスムーズに案内される。
【００２１】
本実施の形態では案内面８１の曲率半径を約７０ｍｍに設定したが、これに限らず曲率半径約５０ｍｍ〜約１００ｍｍの範囲が廃紙の投入がスムーズで好ましい。また固定壁９１の曲面の曲率半径の中心は、案内面８１の曲面の中心と同じサイドで、案内面８１の曲率半径の設定に合わせて廃紙の投入がスムーズになるように設定するのが望ましい。
【００２２】
案内面８１と固定壁９１の曲面はカバー３の上面からシュレッダ１の内部に向けて次第に斜度を増して、略鉛直方向下向きに廃止が案内される通路７１が形成される。この通路７１のスリット状の間隙は、挿入口３１における指等の挟みこみ事故を防止できる約２ｍｍ〜８ｍｍ程度で、本実施形態では約３．４ｍｍに設定している。前記間隙は、図６Ａ），Ｂ），Ｃ）の断面図に示すように、挿入口３の長手方向の全領域において同じスリット状の間隙になるようにしている。
【００２３】
本実施形態のカバー３の上面は、カバー３の強度並びに意匠の向上を目的としてシュレッダ１の正面側から奥行き方向に向けて曲面で構成しているために、前述した案内面８１と固定壁９１に形成する曲面は３次元の曲面となる。そのため、前記鉛直方向下向きに形成される通路７１に向けて、挿入口３１の長手方向において曲率を徐々に調整して、同一の隙間を有し長手方向直線状に形成している通路７１へ曲面をスムーズにつなげている。
【００２４】
前記固定壁９１の曲面は、樹脂材料を使用した射出成形でカバー３と一体には成形できないオーバーハング形状であるため、図７に示すように別部材として用意する。箱状に形成した固定壁部材９２をカバー３に凹設した固定壁部材取付け凹部８２に配設し、カバー３の裏面から複数の透孔８３を介して図示しないネジで螺合する。
【００２５】
図２、図３に示すように、オートフィード機構５は、廃紙収納スペース４の底部の中央付近に廃紙の長手方向と直交する方向に廃紙が進入するスリット状の挿入口５１が設けられている。前記スリット状の挿入口５１を挟んで対称位置にスリットの方向と平行な軸線をもつ案内ローラ５２が、対をなして２列ずつ、回転支軸となるシャフト５３の軸方向に所定の間隔をおいて直列連結して配置されている。
【００２６】
図３に示すように、細断機構部６は、案内ローラ５２の中心軸線に平行な軸線を持って配置された一対のシュレッダカッタ６１を装備している。上述した挿入口５１の直下には、両シュレッダカッタ６１間の隙間が位置している。モータ６４及び歯車装置６５（図４）によってシュレッダカッタ６１が回転駆動されるが、挿入口５１を挟んで同じ側にある案内ローラ５２とシュレッダカッタ６１は伝動歯車によって同期駆動されていて同じ方向に回転する。挿入口５１を通過した廃紙は案内ローラ５２によってシュレッダカッタ６１間の隙間に案内され細断される。尚、シュレッダカッタ６１は、安全のために薄板板金を折り曲げ成形したカバー６３で覆われている。
【００２７】
上述のように構成されたシュレッダ１の動作について説明する。多量の廃紙を細断する場合には、図２、図３に示すように廃紙を廃紙収納部４に配置し、カバー３を閉塞する。このとき、廃紙収納部４のほぼ中央付近の廃紙の下面が、案内ローラ５２によりやや盛り上がった状態となり、廃紙の束の上面は、紙押えパッド３３により押圧されるとともに、廃紙の中央部が押圧ローラ３２よりも内側に位置する圧紙部３７によって押圧される。これによって廃紙が挿入口５１側へ円弧状に膨らみ挿入口５１に進入しやすくなる。
【００２８】
この状態でモータ６４を駆動すると、最下層の廃紙が案内ローラ５２によって挿入口５１に引き込まれ、二つ折り状態になって挿入口５１の下方にあるシュレッダカッタ６１に侵入し細断される。この引き込み動作が連続して行われ、最下層の廃紙から順に二つ折り状態になってシュレッダカッタ６１に導かれ細断されていく。
【００２９】
細断が進み、束になった廃紙の高さが小さくなっていくと、カバー３のコイルバネ３５によって圧紙部３７及び押圧ローラ３２と紙押えパッド３３が下方に付勢されるため、廃紙の上面を常時押圧することになる。細断された細断屑９は、その下方にある細断屑収納ボックス７に収納される。
【００３０】
次に廃紙が少量の場合について説明する。廃紙が少量の場合にはカバー３に形成した外部挿入口３１から廃紙を挿入する。前述したように固定壁９１に向けて案内面８１側から廃紙を投入すると、廃紙の投入側先端が前記案内面８１に覆いかぶさるように設けられた固定壁９１の曲面に沿って滑り込むように通路７１にスムーズに案内される。通路７１の間隙は指挟みこみ事故が起きない寸法に設定しているので安全も確保している。挿入された廃紙は前記挿入ガイド部３６を通り、案内ローラ５２間を経て挿入口５１に案内され細断機構部６で細断される。（図３）
【符号の説明】
【００３１】
１              シュレッダ
２              筐体
３              カバー
４              廃紙収納スペース
５              オートフィード機構
６              細断機構部
７              裁断屑収納ボックス
３１              外部挿入口
７１              通路
８１              案内面
９１              固定壁
９２              固定壁部材
【図１】
2015036132.tif 000003
【図２】
2015036132.tif 000004
【図３】
2015036132.tif 000005
【図４】
2015036132.tif 000006
【図５】
2015036132.tif 000007
【図６】
2015036132.tif 000008
【図７】
2015036132.tif 000009